(57)【要約】【課題】渋滞予測の精度が向上され得ると共に渋滞予測モデルの構築に要する演算量の増加が抑制され得る渋滞予測モデル作成装置を提供する。【解決手段】人の位置と属性とに応じて分類された複数のグループの人口データを取得する人口データ取得部１１１と、位置に応じた渋滞状況を示す渋滞データを取得する渋滞データ取得部１１３と、グループごとの人口データを説明変数とし、交通渋滞を予測する渋滞予測位置における渋滞データを目的変数とする回帰分析を行うことで、複数のグループの中から、渋滞予測位置における渋滞データに対する寄与度が相対的に高いグループの人口データを選択し、選択された人口データと渋滞予測位置における渋滞データとに基づいて、回帰分析で渋滞予測モデルを構築する渋滞予測モデル構築部１１５と、を備える。【選択図】図１
2019066930.tif 000002
【特許請求の範囲】
【請求項１】
交通渋滞の予測に用いる渋滞予測モデルを作成する渋滞予測モデル作成装置であって、
人の位置と属性とに応じて分類された複数のグループの人口データを取得する人口データ取得部と、
位置に応じた渋滞状況を示す渋滞データを取得する渋滞データ取得部と、
前記グループごとの人口データを説明変数とし、前記交通渋滞を予測する渋滞予測位置における前記渋滞データを目的変数とする回帰分析を行うことで、前記複数のグループの中から、前記渋滞予測位置における前記渋滞データに対する寄与度が相対的に高いグループの人口データを選択し、前記選択された人口データと前記渋滞予測位置における前記渋滞データとに基づいて、回帰分析で前記渋滞予測モデルを構築する渋滞予測モデル構築部と、を備える、渋滞予測モデル作成装置。
【請求項２】
前記属性は、前記人の居住地を含んでいる、請求項１に記載の渋滞予測モデル作成装置。
【請求項３】
交通渋滞の予測に用いる人口データを取得する予測用人口データ取得部と、
前記渋滞予測モデルと前記交通渋滞の予測に用いる人口データとに基づいて、交通渋滞を予測する交通渋滞予測部と、を備える、請求項１又は２に記載の渋滞予測モデル作成装置。
【請求項４】
渋滞予測モデル構築部は、前記人口データを前記グループごとに正規化した後に、前記グループごとに、正規化された前記人口データを説明変数として、前記回帰分析を行う、請求項１〜３のいずれか１項に記載の渋滞予測モデル作成装置。
【発明の詳細な説明】
【技術分野】
【０００１】
本発明は、交通渋滞の予測に用いられる渋滞予測モデルを作成する渋滞予測モデル作成装置に関する。
【背景技術】
【０００２】
交通情報を取得し、取得された交通情報に基づいて所望地点の交通渋滞を予測する技術が知られている（例えば、特許文献１参照）。特許文献１では、過去の渋滞データに基づいて渋滞予測モデルを作成し、渋滞予測モデルに現在の交通情報を入力して交通渋滞を予測することを記載している。
【先行技術文献】
【特許文献】
【０００３】
【特許文献１】特開２００４−２７２４０８号公報
【発明の概要】
【発明が解決しようとする課題】
【０００４】
交通渋滞には様々な要因があり、従来の渋滞予測では、予期していない要因によって、予測した渋滞と実際の渋滞とが乖離することが懸念される。例えば特許文献１に記載の手法では、過去の渋滞データ、すなわち既に走行状態にある自動車のデータから渋滞予測モデルが作成されており、過去の渋滞データをサンプリングした時点で走行状態にない自動車は考慮されていない。このため、過去の渋滞データのみから交通渋滞を予測する場合、現在の時刻から予測時刻までの時間が長いほど、現在走行状態にないが予測時刻に走行状態となる自動車に起因して渋滞予測の誤差が増加するおそれがある。
【０００５】
一方、交通渋滞の様々な要因を考慮して渋滞予測モデルを構築すれば、渋滞予測の誤差を低減して渋滞予測の精度が向上され得る。しかし、この場合、渋滞予測モデルの構築に要する演算量が劇的に増加するおそれがある。
【０００６】
本発明は、上記の問題に鑑みてなされたものであり、渋滞予測の精度が向上され得ると共に渋滞予測モデルの構築に要する演算量の増加が抑制され得る渋滞予測モデル作成装置を提供することを目的とする。
【課題を解決するための手段】
【０００７】
上記の目的を達成するために、本発明に係る渋滞予測モデル作成装置は、交通渋滞の予測に用いる渋滞予測モデルを作成する渋滞予測モデル作成装置であって、人の位置と属性とに応じて分類された複数のグループの人口データを取得する人口データ取得部と、位置に応じた渋滞状況を示す渋滞データを取得する渋滞データ取得部と、グループごとの人口データを説明変数とし、交通渋滞を予測する渋滞予測位置における渋滞データを目的変数とする回帰分析を行うことで、複数のグループの中から、渋滞予測位置における渋滞データに対する寄与度が相対的に高いグループの人口データを選択し、選択された人口データと渋滞予測位置における渋滞データとに基づいて、回帰分析で渋滞予測モデルを構築する渋滞予測モデル構築部と、を備える。
【０００８】
本発明に係る渋滞予測モデル作成装置では、人口データと渋滞データとに基づいて、回帰分析で渋滞予測モデルを構築している。人口データを用いることで、交通渋滞の様々な要因に対応し得る。例えば、人口データは、現在走行状態にないが予測時刻に走行状態になる自動車の数にも相関している。このため、上記渋滞予測モデルを用いて渋滞予測を行えば、渋滞予測の誤差を低減して渋滞予測の精度が向上され得る。また、回帰分析を用いて、渋滞予測位置における渋滞データに対する寄与度が高いグループの人口データを選択し、選択された人口データと渋滞データとに基づいて回帰分析で渋滞予測モデルを構築する。このため、渋滞予測の精度が確保されながら、渋滞予測モデルの構築に要する演算量の増加が抑制され得る。すなわち、モデル構築部によって構築された渋滞予測モデルを用いて渋滞予測を行うことで、渋滞予測度の向上と演算量の増加の抑制とが両立され得る。
【発明の効果】
【０００９】
本発明によれば、渋滞予測の精度が向上され得ると共に渋滞予測モデルの構築に要する演算量の増加が抑制され得る渋滞予測モデル作成装置を提供することができる。
【図面の簡単な説明】
【００１０】
【図１】一の実施形態に係る渋滞予測モデル作成装置の機能を説明するための図である。
【図２】人口データの構成例を示す図である。
【図３】渋滞データの構成例を示す図である。
【図４】渋滞がある又は渋滞がないと予測された場合の渋滞予測結果の出力の構成例を示す図である。
【図５】渋滞がある又は渋滞がないと予測された場合の渋滞予測結果の表示例を示す図である。
【図６】一の実施形態に係る渋滞予測モデル作成装置で実行される処理を示すフローチャートである。
【図７】一の実施形態に係る渋滞予測モデル作成装置で実行される処理を示すフローチャートである。
【図８】一の実施形態に係る渋滞予測モデル作成装置のハードウェアの構成を示す図である。
【発明を実施するための形態】
【００１１】
以下、図面と共に本発明に係る渋滞予測モデル作成装置の実施形態について詳細に説明する。なお、図面の説明においては同一要素には同一符号を付し、重複する説明を省略する。
【００１２】
図１は、本実施形態に係る渋滞予測モデル作成装置１００を示す。渋滞予測モデル作成装置１００は、学習用人口データと学習用渋滞データとに基づいて、交通渋滞の予測に用いる渋滞予測モデルを作成する。渋滞予測モデル作成装置１００は、作成された渋滞予測モデルを用いて、人口データを入力として交通渋滞を予測する。以下では、予め定められた期間（以下、「サンプリング期間」という）内にサンプリングされた元データに基づいて渋滞予測モデルを構築し、当日の全国の地域メッシュごとの人口データを入力として、当日の交通渋滞を予測する場合を例に説明するが、これに限定されない。
【００１３】
人口データとは、ある時刻にある地域にどれくらい人が存在したかを示すデータである。本実施形態では、人口データは、サンプリング時刻と、人の位置（たとば、地域メッシュなど）と、人の属性（例えば、性別、年代、居住地など）とに応じて分類された複数のグループの各々に属する人口を示している。サンプリング時刻は、データのサンプリングを行った時刻である。人の位置及び属性は、データのサンプリングの対象者（以下、単に「サンプリング対象者」という）の位置及び属性である。例えば、人口データは、外部のデータベース等に保存されている、予め携帯端末の定期的にサンプリングされた位置情報と当該携帯端末のユーザの属性についての登録情報とから生成される。本実施形態では、人口データは、図２に示したように、「時刻」、「位置識別番号」、「性別」、「年代」、「居住地」、及び「人口」の項目で構成される。
【００１４】
「時刻」では、データのサンプリングを行った日付と時刻が示される。「位置識別番号」では、サンプリング対象者の位置を識別する番号が示される。例えば、「位置識別番号」として、「ＪＩＳ  Ｘ  ０４１０  地域メッシュコード」が用いられる。「位置識別番号」には、第２次メッシュ、第３次メッシュ、又は２分の１地域メッシュ等の地域メッシュコードが用いられてもよいし、居住地の都道府県コード又は市区町村コードが用いられてもよい。本実施形態では、「位置識別番号」として２分の１地域メッシュが用いられるため、位置識別番号は約１５０万種類に分類されている。
【００１５】
「性別」では、サンプリング対象者の性別が示される。「年代」では、サンプリングの対象者の年齢区分が示される。本実施形態では、「年代」は、２０歳以下、２１〜２５歳、２６〜３０歳、３１〜３５歳、３６〜４０歳、４１〜４５歳、４６〜５０歳、５１〜５５歳、５６〜６０歳、６１〜６５歳、６６〜７０歳、７１〜７５歳、７６歳以上の１３種類に分類されている。「居住地」では、サンプリングの対象者の居住地が示される。「居住地」には、第２次メッシュ、第３次メッシュ、又は２分の１地域メッシュ等の地域メッシュコードが用いられてもよいし、居住地の都道府県コード又は市区町村コードが用いられてもよい。本実施形態では、「居住地」として、約２０００個に分類された市区町村コードが用いられる。
【００１６】
本実施形態では、人口データは、人の位置に相当する「位置識別番号」と、人の属性に相当する、「性別」、「年代」、及び「居住地」とに応じて複数のグループに分類される。このため、人口データは、約１５０万×２×１３×約２０００のグループに分類され得る。すなわち、人の位置及び属性の組み合わせを変数とする空間は、理論上、約８００億次元に及ぶ。
【００１７】
渋滞データとは、位置に応じた渋滞状況を示すデータであり、渋滞情報を管理する外部のデータベースに予め保存されている。例えば、渋滞データは、道路（例えば、全国の主要な道路）が予め区分けされた区間（いわゆるリンク）ごとに、図３に示したように、「渋滞発生日付」、「開始時刻」、「終了時刻」、「最大渋滞長」、及び「渋滞ピーク時刻」の項目で構成されている。本実施形態では、上述した予め区分けされた区間（以下、単に「位置」という）が予測の対象とされる。「渋滞発生日付」では、対象の位置で渋滞が発生した日付が示される。「開始時刻」では、対象の位置で渋滞が発生した時刻が示される。「終了時刻」では、対象の位置で渋滞が終了した時刻が示される。「最大渋滞長」では、対象の位置で発生した渋滞が開始時刻から終了時刻までの間で、最大となった渋滞の長さが示される。「渋滞ピーク時刻」では、最大渋滞長に達した時刻が示される。
【００１８】
学習用人口データ取得部１１１は、渋滞予測モデル作成装置１００の外部から、渋滞予測モデルの構築に用いられる学習用の人口データ（以下、「学習用人口データ」という）を取得する。学習用人口データ取得部１１１は、予め定められたサンプリング期間内にサンプリングされた学習用人口データを渋滞予測に用いる元データとして取得する。学習用人口データは、例えば、外部のデータベースに記録された全国の過去の人口データであり、サンプリング時刻と人の位置と人の属性とに応じて分類された複数のグループに分かれている。本実施形態では、学習用人口データ取得部１１１は、日毎に正午にサンプリングされた学習用人口データのみを取得する。学習用人口データ格納部１１２は、学習用人口データ取得部１１１に入力された学習用人口データを格納する。
【００１９】
学習用渋滞データ取得部１１３は、渋滞予測モデル作成装置１００の外部から、渋滞予測モデルの構築に用いられる学習用の渋滞データ（以下、「学習用渋滞データ」という）を取得する。学習用渋滞データ取得部１１３は、予め定められたサンプリング期間内にサンプリングされた、渋滞予測位置における学習用渋滞データを渋滞予測に用いる元データとして取得する。学習用渋滞データは、例えば、外部のデータベースに記録された過去の渋滞データのうち、交通渋滞を予測する渋滞予測位置に応じた渋滞状況を示す。学習用渋滞データ格納部１１４は、学習用渋滞データ取得部１１３に入力された学習用渋滞データを格納する。
【００２０】
渋滞予測モデル構築部１１５は、学習用人口データ格納部１１２及び学習用渋滞データ格納部１１４を参照して、位置ごとに、交通渋滞の予測に用いる渋滞予測モデルを構築する。渋滞予測モデル構築部１１５は、変数選択部１１６、次元圧縮部１１７、予測用回帰式作成部１１８を有する。
【００２１】
以下、渋滞予測モデル構築部１１５が、ある渋滞予測位置について、学習用渋滞データの「渋滞発生日付」、「開始時刻」、「終了時刻」、「最大渋滞長」、及び「渋滞ピーク時刻」の項目のそれぞれに基づいて、渋滞予測モデルを構築する例について説明する。具体的には、渋滞予測モデル構築部１１５は、当該渋滞予測位置についての「渋滞発生日付」ごとの学習用渋滞データに基づいて渋滞予測対象となる日の渋滞の有無を予測する渋滞予測モデルを構築する。また、渋滞予測モデル構築部１１５は、当該渋滞予測位置についての「開始時刻」に基づいて渋滞の開始時刻を予測する渋滞予測モデルを構築する。また、渋滞予測モデル構築部１１５は、当該渋滞予測位置についての「終了時刻」に基づいて渋滞の終了時刻を予測する渋滞予測モデルを構築する。また、渋滞予測モデル構築部１１５は、「最大渋滞長」に基づいて渋滞の最大渋滞長を予測する渋滞予測モデルを構築する。また、渋滞予測モデル構築部１１５は、「渋滞ピーク時刻」に基づいて渋滞ピーク時刻を予測する渋滞予測モデルを構築する。即ち、渋滞予測モデル構築部１１５は、渋滞予測位置ごとに５つの渋滞予測モデルを構築する。
【００２２】
渋滞予測モデル構築部１１５では、渋滞予測位置における学習用渋滞データの上述した各項目の値に基づいて求めた数値を用いて、渋滞予測モデルを構築する。例えば、渋滞の有無を予測する渋滞予測モデルを構築する場合には、渋滞予測モデル構築部１１５は、上記サンプリング期間内のうち、学習用渋滞データにおいて渋滞予測位置に渋滞があったと判断される日付（当該渋滞予測位置についての学習用渋滞データがある日付）における渋滞の有無を示す数値を「１」とし、学習用渋滞データにおいて渋滞予測位置に渋滞がなかったと判断される日付（当該渋滞予測位置についての学習用渋滞データがない日付）における渋滞の有無を示す数値を「０」として取り扱う。渋滞の開始時刻を予測する渋滞予測モデルを構築する場合には、渋滞予測モデル構築部１１５は、サンプリング期間内の渋滞予測位置における学習用渋滞データの「開始時刻」の値を周知の手法で数値化する。渋滞の終了時刻を予測する渋滞予測モデルを構築する場合には、渋滞予測モデル構築部１１５は、サンプリング期間内の渋滞予測位置における学習用渋滞データの「終了時刻」の値を周知の手法で数値化する。渋滞の最大渋滞長を予測する渋滞予測モデルを構築する場合には、渋滞予測モデル構築部１１５は、サンプリング期間内の渋滞予測位置における学習用渋滞データの「最大渋滞長」の値を上記数値として取り扱う。渋滞ピーク時刻を予測する渋滞予測モデルを構築する場合には、渋滞予測モデル構築部１１５は、サンプリング期間内の渋滞予測位置における学習用渋滞データの「渋滞ピーク時刻」の値を周知の手法で数値化する。
【００２３】
変数選択部１１６は、学習用人口データ格納部１１２に格納されている学習用人口データ（例えば、地域メッシュごとの全国の学習用人口データ）から渋滞と関連のあるグループの学習用人口データ（説明変数）を選択する。以下に、変数選択部１１６が行う処理を具体的に説明する。
【００２４】
変数選択部１１６は、まず、サンプリング期間内の学習用人口データをグループごとに正規化する。例えば、変数選択部１１６は、学習用人口データの各グループにおける人口を、上記サンプリング期間内の全時刻に関し、各グループにおいて平均が０で分散が１となる値に変換する。学習用人口データを正規化することによって、各グループの普段の人口の規模に応じた、人口の増減の割合が適切に判断され得る。
【００２５】
以降、正規化された学習用人口データを、単に「学習用人口データ」という。渋滞の有無を示す数値、「開始時刻」を示す数値、「終了時刻」を示す数値、「最大渋滞長」を示す数値、及び「渋滞ピーク時刻」を示す数値を纏めて、単に「学習用渋滞データ」という。
【００２６】
変数選択部１１６は、グループごとの学習用人口データを説明変数とし、学習用渋滞データを目的変数とするロジスティック回帰を行う。変数選択部１１６は、構築する渋滞予測モデルごとに、互いに同日の情報を示す学習用人口データと学習用渋滞データとを１セットとして、サンプリング期間の複数セットを用いて、ロジスティック回帰を行う。例えば、変数選択部１１６は、「開始時刻」を示す数値を目的変数としてロジスティック回帰を行う。変数選択部１１６は、ロジスティック回帰の結果において、上位ｎ位までの係数の絶対値が大きい説明変数を選択する。ｎは、パラメータであり、ユーザが任意に変更できる。ｎは、例えば、数百に設定される。変数選択部１１６が行われる変数選択は、上述したロジスティック回帰を用いた手法に限定されない。例えば、ｌａｓｓｏ回帰などのパラメトリックな回帰を用いてもよいし、相関係数の値によって選択してもよい。
【００２７】
次元圧縮部１１７は、変数選択部１１６で選択されたグループの学習用人口データを説明変数とし、学習用渋滞データを目的変数として、ＰＬＳ回帰によって座標変換を行う。次元圧縮部１１７は、構築する渋滞予測モデルごとに、互いに同日の情報を示す変数選択部１１６で選択された学習用人口データと学習用渋滞データとを１セットとして、サンプリング期間の複数セットを用いて、ＰＬＳ回帰を行う。例えば、次元圧縮部１１７は、「開始時刻」を示す数値を目的変数としてＰＬＳ回帰を行う。これによって、次元圧縮部１１７は、目的変数に対する寄与度が上位ｍ位の説明変数に次元圧縮を行う。ｍは、パラメータであり、ユーザが任意に変更できる。ｍは、例えば、５〜１００程度に設定される。この結果、変数選択部１１６で選択された説明変数で似た動きをする説明変数が組み合わされて低次元のデータに変換されるため、予測用回帰式作成部１１８において、次元の呪いによる精度悪化を防ぐことができる。次元圧縮部１１７で用いられる回帰は、ＰＬＳ回帰に限られない。ＰＬＳ回帰の代わりに、例えば、ＰＣＡ、ＮＭＦなどを用いてもよい。
【００２８】
予測用回帰式作成部１１８は、次元圧縮部１１７で次元圧縮を行った学習用人口データと学習用渋滞データとに基づいて、渋滞予測に用いる予測用回帰式（渋滞予測モデル）を作成する。予測用回帰式作成部１１８は、次元圧縮部１１７で変換された変数を説明変数とし、学習用渋滞データを目的変数として、渋滞予測モデルを作成する。予測用回帰式作成部１１８は、構築する渋滞予測モデルごとに、互いに同日の情報を示す次元圧縮部１１７で変換された変数の値と学習用渋滞データとを１セットとして、サンプリング期間の複数セットを用いて、渋滞予測モデルを作成する。例えば、予測用回帰式作成部１１８は、次元圧縮部１１７で次元圧縮を行った学習用人口データと「開始時刻」を示す数値とに基づいて、渋滞の開始時刻を予測する予測用回帰式（渋滞予測モデル）を作成する。すなわち、渋滞予測モデル構築部１１５は、低次元化されたデータから渋滞の値を予測するための渋滞予測モデルを作成する。具体的には、予測用回帰式作成部１１８は、最近傍のサンプルの距離による重み付平均を用いたｋ近傍回帰を行う。
【００２９】
最近傍点の数は、パラメータであり、ユーザが任意に変更できる。最近傍点の数は、例えば、２〜１００程度に設定される。予測用回帰式作成部１１８で用いられる回帰は、ｋ近傍回帰に限られない。ｋ近傍回帰の代わりに、例えば、線形回帰、ＳＶＲ回帰などのパラメトリックな手法を用いてもよいし、決定木などノンパラメトリックな手法を用いてもよい。なお、人口データと渋滞データとの関係は非線形であるため、ｋ近傍回帰などのノンパラメトリックな手法で回帰分析を行うことで、パラメトリックな手法を用いるよりも高い精度で渋滞予測を行うことが可能な渋滞予測モデルを作成できる。
【００３０】
渋滞予測モデル格納部１１９は、渋滞予測モデル構築部１１５によって構築された渋滞予測モデルを格納する。本実施形態では、渋滞予測モデル格納部１１９は、渋滞予測位置ごとに、渋滞予測対象となる日の渋滞の有無を予測する渋滞予測モデル、渋滞の開始時刻を予測する渋滞予測モデル、渋滞の終了時刻を予測する渋滞予測モデル、渋滞の最大渋滞長を予測する渋滞予測モデル、及び渋滞ピーク時刻を予測する渋滞予測モデルを格納する。渋滞予測モデル格納部１１９は、渋滞予測モデルごとに、変数選択部１１６によって選択されたグループと、次元圧縮部１１７で行われた座標変換を行うための情報とを格納する。
【００３１】
以上のように、渋滞予測モデル構築部１１５は、グループごとの学習用人口データを説明変数とし、学習用渋滞データを目的変数とする回帰分析を行う。これによって、渋滞予測モデル構築部１１５は、複数のグループの中から、渋滞予測位置における渋滞データに対する寄与度が相対的に高いグループの学習用人口データを選択する。渋滞予測モデル構築部１１５は、選択された人口データと渋滞予測位置における渋滞データとに基づいて、回帰分析で渋滞予測モデルを構築する。
【００３２】
渋滞予測位置取得部１２０は、渋滞予測モデル作成装置１００の外部から渋滞予測位置を取得する。渋滞予測位置取得部１２０は、不図示の入力デバイスによって、ユーザが入力した渋滞予測位置を取得してもよい。
【００３３】
予測用人口データ取得部１２１は、交通渋滞の予測に用いる予測用人口データを取得する。予測用人口データは、予め決められた所定日時の人口データであり、例えば、取得可能な人口データのうち最新の人口データ、当日の所定時刻の人口データ等である。本実施形態では、予測用人口データ取得部１２１は、渋滞予測を行う当日の正午にサンプリングされた人口データを取得する。
【００３４】
交通渋滞予測部１２２は、渋滞予測モデル格納部１１９に格納されている渋滞予測モデル、並びに、渋滞予測位置取得部１２０及び予測用人口データ取得部１２１によって取得された各データを用いて交通渋滞を予測する。交通渋滞予測部１２２は、渋滞予測位置取得部１２０によって取得された渋滞予測位置に対応する渋滞予測モデルを渋滞予測モデル格納部１１９から取得する。本実施形態では、交通渋滞予測部１２２は、予測用人口データ（例えば、当日の人口データ）を入力とし、渋滞予測モデル格納部１１９から取得された渋滞予測モデルを用いて、渋滞予測時間における渋滞予測位置の渋滞予測結果を出力する。渋滞予測対象となる日の渋滞の有無を予測する渋滞予測モデル、渋滞の開始時刻を予測する渋滞予測モデル、渋滞の終了時刻を予測する渋滞予測モデル、渋滞の最大渋滞長を予測する渋滞予測モデル、及び渋滞ピーク時刻を予測する渋滞予測モデルの各々に対して予測用人口データを当て嵌めることで、各渋滞予測が行われる。例えば、交通渋滞予測部１２２は、予測用人口データにおける複数のグループのうち、変数選択部１１６によって選択された学習用人口データのグループに対応するグループを選択し、次元圧縮部１１７で行われた座標変換と同様の座標変換を行い、予測用回帰式作成部１１８で作成された回帰式に代入する。
【００３５】
交通渋滞予測部１２２は、例えば、渋滞予測対象となる日の渋滞の有無を予測する渋滞予測モデルに予測用人口データを当て嵌めることで予測値を得る。予測値は、予測用回帰式作成部１１８で作成された回帰式から得られる０〜１の数値である。交通渋滞予測部１２２は、得られた予測値が予め定められた閾値以上である場合に渋滞ありと判断し、当該予測値が予め定められた閾値未満である場合に渋滞なしと判断する。
【００３６】
交通渋滞予測部１２２は、渋滞ありと判断した場合に、渋滞の開始時刻を予測する渋滞予測モデル、渋滞の終了時刻を予測する渋滞予測モデル、渋滞の最大渋滞長を予測する渋滞予測モデル、及び渋滞ピーク時刻を予測する渋滞予測モデルに、予測用人口データを当て嵌めることで予測値を得る。図４（ａ）は、渋滞ありと判断された場合における、交通渋滞予測部１２２からの予測結果の出力例を示している。例えば、図４（ａ）に示されているように、「渋滞発生有無」の項目については「渋滞あり」を示す値が出力され、「開始時刻」、「終了時刻」、「最大渋滞長」、及び「渋滞ピーク時刻」の項目についてはそれぞれ導出された結果を出力する。
【００３７】
交通渋滞予測部１２２は、渋滞なしと判断した場合に、「開始時刻」、「終了時刻」、「最大渋滞長」、及び「渋滞ピーク時刻」の予測を行わない。図４（ｂ）は、渋滞なしと判断された場合における、交通渋滞予測部１２２からの予測結果の出力例を示している。例えば、図４（ｂ）に示されているように、「渋滞発生有無」の項目については「渋滞なし」を示す値が出力され、予測を行っていない「開始時刻」、「終了時刻」、「最大渋滞長」、及び「渋滞ピーク時刻」の項目はＮＵＬＬとなる。
【００３８】
交通渋滞予測結果表示部１２３は、交通渋滞予測部１２２によって予測された交通渋滞の予測結果をディスプレイ１２４に表示する。図５（ａ）は、渋滞ありと判断され図４（ａ）に示した値が交通渋滞予測部１２２から出力された場合にディスプレイ１２４に表示される表示例を示している。図５（ｂ）は、渋滞なしと判断された場合にディスプレイ１２４に表示される表示例を示している。
【００３９】
次に、図６を参照して、本実施形態に係る渋滞予測モデル作成装置１００の動作について説明する。図６は、渋滞予測モデル作成装置１００が行う処理を示すフローチャートである。
【００４０】
ステップＳ１０１において、渋滞予測モデル作成装置１００は、渋滞予測位置取得部１２０によって渋滞予測位置を取得する。続いて、渋滞予測モデル作成装置１００は、ステップＳ１０２に処理を進める。
【００４１】
ステップＳ１０２において、渋滞予測モデル作成装置１００は、予測用人口データ取得部１２１によって予測用人口データを取得する。続いて、渋滞予測モデル作成装置１００は、ステップＳ１０３に処理を進める。
【００４２】
ステップＳ１０３において、渋滞予測モデル作成装置１００は、ステップＳ１０１で取得された渋滞予測位置に対応する渋滞予測モデルが渋滞予測モデル格納部１１９に存在するか判定する。ステップＳ１０１で取得された渋滞予測位置に対応する渋滞予測モデルが渋滞予測モデル格納部１１９に存在する場合（ステップＳ１０３でＹＥＳ）、渋滞予測モデル作成装置１００は、ステップＳ１０５に処理を進める。ステップＳ１０１で取得された渋滞予測位置に対応する渋滞予測モデルが渋滞予測モデル格納部１１９に存在しない場合（ステップＳ１０３でＮＯ）、渋滞予測モデル作成装置１００は、ステップＳ１０４に処理を進める。
【００４３】
ステップＳ１０４において、渋滞予測モデル作成装置１００は、後述する渋滞予測モデル構築処理を行う。続いて、渋滞予測モデル作成装置１００は、ステップＳ１０５に処理を進める。
【００４４】
ステップＳ１０５において、渋滞予測モデル作成装置１００は、ステップＳ１０１で取得された渋滞予測位置と、ステップＳ１０２で取得された予測用人口データと、渋滞予測モデル格納部１１９に格納されている渋滞予測モデルとから、渋滞予測位置における交通渋滞の予測を行う。続いて、渋滞予測モデル作成装置１００は、ステップＳ１０６に処理を進める。
【００４５】
ステップＳ１０６において、渋滞予測モデル作成装置１００は、ステップＳ１０５において行った交通渋滞の予測結果をディスプレイ１２４に表示する。渋滞予測モデル作成装置１００は、ステップＳ１０６が終了すると、全体の処理を終了する。
【００４６】
次に、図７を参照して、ステップＳ１０４における渋滞予測モデル構築処理について説明する。図７は、渋滞予測モデル作成装置１００が行う渋滞予測モデル構築処理を示すフローチャートである。
【００４７】
ステップＳ１１１において、渋滞予測モデル作成装置１００は、学習用人口データが学習用人口データ格納部１１２に存在するか判定する。学習用人口データが学習用人口データ格納部１１２に存在する場合（ステップＳ１１１でＹＥＳ）、渋滞予測モデル作成装置１００は、ステップＳ１１４に処理を進める。学習用人口データが学習用人口データ格納部１１２に存在しない場合（ステップＳ１１１でＮＯ）、渋滞予測モデル作成装置１００は、ステップＳ１１２に処理を進める。
【００４８】
ステップＳ１１２において、渋滞予測モデル作成装置１００は、学習用人口データ取得部１１１によって予め定められたサンプル期間内にサンプリングされた学習用人口データを取得し、ステップＳ１１３に処理を進める。
【００４９】
ステップＳ１１３において、渋滞予測モデル作成装置１００は、ステップＳ１１２で取得した学習用人口データを学習用人口データ格納部１１２に格納し、ステップＳ１１４に処理を進める。
【００５０】
ステップＳ１１４において、渋滞予測モデル作成装置１００は、ステップＳ１０１で取得した渋滞予測位置の学習用渋滞データが学習用渋滞データ格納部１１４に存在するか判定する。渋滞予測モデル作成装置１００は、ステップＳ１０１で取得した渋滞予測位置の学習用渋滞データが学習用渋滞データ格納部１１４に存在する場合（ステップＳ１１４でＹＥＳ）、ステップＳ１１７に処理を進める。渋滞予測モデル作成装置１００は、ステップＳ１０１で取得した渋滞予測位置の学習用渋滞データが学習用渋滞データ格納部１１４に存在しない場合（ステップＳ１１４でＮＯ）、ステップＳ１１５に処理を進める。
【００５１】
ステップＳ１１５において、渋滞予測モデル作成装置１００は、学習用渋滞データ取得部１１３によって、予め定められたサンプリング期間内にサンプリングされた、ステップＳ１０１で取得した渋滞予測位置における学習用渋滞データを取得し、ステップＳ１１６に処理を進める。
【００５２】
ステップＳ１１６において、渋滞予測モデル作成装置１００は、ステップＳ１１５で取得した学習用渋滞データを学習用渋滞データ格納部１１４に格納し、ステップＳ１１７に処理を進める。
【００５３】
ステップＳ１１７において、渋滞予測モデル作成装置１００は、学習用人口データ格納部１１２からサンプリング期間内の学習用人口データを取得し、学習用渋滞データ格納部１１４からサンプリング期間内の渋滞予測位置における学習用渋滞データを取得する。続いて、渋滞予測モデル作成装置１００は、ステップＳ１１８に処理を進める。
【００５４】
ステップＳ１１８において、渋滞予測モデル作成装置１００は、変数選択部１１６で回帰分析を行うことで、渋滞予測位置における渋滞データに対する寄与度が相対的に高いグループの学習用人口データを選択する。続いて、渋滞予測モデル作成装置１００は、ステップＳ１１９に処理を進める。
【００５５】
ステップＳ１１９において、渋滞予測モデル作成装置１００は、次元圧縮部１１７で回帰分析を行うことで、次元圧縮を行う。続いて、渋滞予測モデル作成装置１００は、ステップＳ１２０に処理を進める。
【００５６】
ステップＳ１２０において、渋滞予測モデル作成装置１００は、次元圧縮部１１７で次元圧縮を行った学習用人口データと学習用渋滞データとに基づいて、渋滞予測モデルである予測用回帰式を作成する。続いて、渋滞予測モデル作成装置１００は、ステップＳ１２１に処理を進める。
【００５７】
ステップＳ１２１において、渋滞予測モデル作成装置１００は、変数選択、次元圧縮、予測用回帰式の作成の３つのステップ（ステップＳ１１８、ステップＳ１１９、ステップＳ１２０）で構築された渋滞予測モデルを渋滞予測モデル格納部１１９に格納する。渋滞予測モデル作成装置１００は、ステップＳ１２１が終了すると、渋滞予測モデル構築処理を終了する。
【００５８】
次に、本実施形態に係る渋滞予測モデル作成装置１００の作用及び効果について説明する。
【００５９】
渋滞予測モデル作成装置１００は、人口データと渋滞データとに基づいて、回帰分析で渋滞予測モデルを構築する。人口データを用いることで、交通渋滞の様々な要因に対応し得る。このため、渋滞予測の誤差を低減することができる。例えば、人口データは、現在走行状態にないが予測時刻に走行状態になる自動車の数にも相関している。渋滞予測モデル作成装置１００は、上記渋滞予測モデルと交通渋滞の予測に用いる予測用人口データとに基づいて交通渋滞を予測するため、渋滞予測の誤差を低減して渋滞予測の精度が向上され得る。
【００６０】
また、上述したように、本実施形態では、人の位置に相当する「位置識別番号」と、人の属性に相当する、「性別」、「年代」、及び「居住地」とに応じてグループを分類する。本実施形態では、「位置識別番号」は約１５０万通り、「性別」は２通り、「年代」は１３通り、及び「居住地」は約２０００通りある。この場合、人口データは、約１５０万×２×１３×約２０００のグループに分類され得る。すなわち、人の位置及び属性の組み合わせを変数とする空間は、理論上、約８００億次元に及ぶ。これらのグループの人口データの多くは、予測対象位置の渋滞への影響が非常に小さく予測のノイズとなる。
【００６１】
渋滞予測モデル作成装置１００は、回帰分析を用いて、渋滞予測位置における渋滞データに対する寄与度が高いグループの人口データを選択し、選択された人口データと渋滞データとに基づいて回帰分析で渋滞予測モデルを構築する。すなわち、渋滞予測モデル作成装置１００は、渋滞に関連のあるグループの人口データ（説明変数）を選択する。このため、渋滞予測の精度が確保されながら、渋滞予測モデルの構築に要する演算量の増加が抑制され得る。例えば、東京の道路の渋滞に沖縄にいる人はほとんど影響しないため、人の位置が沖縄であるグループ以外の人口データを選択することで、渋滞予測モデルの構築に要する演算量を低減できる。以上のように、渋滞予測モデル作成装置１００では、渋滞予測精度の向上と演算量の増加の抑制とが両立され得る。
【００６２】
人口データにおける人の属性は、当該人（サンプリング対象者）の居住地を含んでいる。この場合、居住地に帰る人によって生じる渋滞、すなわち、所謂Ｕターンラッシュの予測を行うことができる。例えば、お昼に木更津のアウトレットモールにいる東京及び神奈川に居住の人の人口から、アクアラインの夕方の渋滞を予測することができる。
【００６３】
渋滞予測モデル作成装置１００は、渋滞予測位置を取得し、取得された渋滞予測位置に対応する渋滞予測モデルが渋滞予測モデル格納部１１９に存在しない場合に、取得された渋滞予測位置に対応する渋滞予測モデルを構築する。すなわち、必要に応じて渋滞予測モデルを構築するため、渋滞予測モデルを構築する演算量が低減され得る。また、最新の学習用人口データを用いて、渋滞予測モデルを構築することができる。
【００６４】
人口の増減数が同じでも、普段の人口の規模が大きい地域ほど、人口の増減数と渋滞との関連性は低いと考えられる。例えば、普段の人口が１００００人の地域と普段の人口が５００人の地域とでは、５００人の増減があった場合の渋滞発生への影響度合いは異なると想定される。変数選択部１１６は、学習用人口データの各グループにおける人口を、上記サンプリング期間内の全時刻に関し、各グループにおいて平均が０で分散が１となる値に変換する。このように、上記サンプリング期間内の学習用人口データをグループごとに正規化することよって、各グループの普段の人口の規模に応じた人口の増減の割合が適切に判断され得る。したがって、上述したように学習用人口データを正規化した後に、変数選択を行うことで、各グループの普段の人口の規模を考慮して渋滞予測の精度を更に向上することができる。
【００６５】
なお、上記実施の形態の説明に用いたブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【００６６】
例えば、本発明の一実施の形態における渋滞予測モデル作成装置は、本実施形態における処理を行うコンピュータとして機能してもよい。図８は、本発明の一実施の形態に係る渋滞予測モデル作成装置のハードウェア構成の一例を示す図である。上述した渋滞予測モデル作成装置１００は、物理的には、プロセッサ１００１、メモリ１００２、ストレージ１００３、通信装置１００４、入力装置１００５、出力装置１００６、バス１００７などを含むコンピュータ装置として構成されてもよい。
【００６７】
なお、以下の説明では、「装置」という文言は、回路、デバイス、ユニットなどに読み替えることができる。渋滞予測モデル作成装置１００のハードウェア構成は、図に示した各装置を１つ又は複数含むように構成されてもよいし、一部の装置を含まずに構成されてもよい。
【００６８】
渋滞予測モデル作成装置１００における各機能は、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【００６９】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、変数選択部１１６、次元圧縮部１１７、予測用回帰式作成部１１８、交通渋滞予測部１２２、渋滞予測結果表示部１２３などは、プロセッサ１００１で実現されてもよい。
【００７０】
また、プロセッサ１００１は、プログラム（プログラムコード）、ソフトウェアモジュールやデータを、ストレージ１００３及び／又は通信装置１００４からメモリ１００２に読み出し、これらに従って各種の処理を実行する。プログラムとしては、上述の実施の形態で説明した動作の少なくとも一部をコンピュータに実行させるプログラムが用いられる。例えば、変数選択部１１６、次元圧縮部１１７、予測用回帰式作成部１１８、交通渋滞予測部１２２、渋滞予測結果表示部１２３は、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００７１】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically Erasable Programmable ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本発明の一実施の形態に係る方法を実施するために実行可能なプログラム（プログラムコード）、ソフトウェアモジュールなどを保存することができる。
【００７２】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ(例えば、カード、スティック、キードライブ)、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。
【００７３】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、学習用人口データ取得部１１１、学習用渋滞データ取得部１１３、渋滞予測位置取得部１２０、予測用人口データ取得部１２１などは、通信装置１００４で実現されてもよい。
【００７４】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００７５】
また、プロセッサ１００１やメモリ１００２などの各装置は、情報を通信するためのバス１００７で接続される。バス１００７は、単一のバスで構成されてもよいし、装置間で異なるバスで構成されてもよい。
【００７６】
また、渋滞予測モデル作成装置１００は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００７７】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【００７８】
例えば、上述した実施形態では、渋滞予測モデル作成装置１００は、渋滞予測モデルを作成し、当該渋滞予測モデルを用いて交通渋滞の予測を行うことで交通渋滞予測装置として機能する。しかし、渋滞予測モデルの作成と交通渋滞の予測とを別の装置で行う構成であってもよい。
【００７９】
学習用人口データ及び予測用人口データは、現実の人口データであってもよいし、架空の人口データであってもよい。
【００８０】
上述した実施形態では、学習用人口データ取得部１１１が、外部から学習用人口データを取得し、学習用人口データ格納部１１２に格納する構成について説明したが、これに限定されない。例えば、学習用人口データ格納部１１２が予め学習用人口データを格納しており、学習用人口データ取得部１１１が学習用人口データ格納部１１２から学習用人口データを取得して渋滞予測モデル構築部１１５に当該データを渡す構成であってもよい。
【００８１】
上述した実施形態では、学習用渋滞データ取得部１１３が、外部から学習用渋滞データを取得し、学習用渋滞データ格納部１１４に格納する構成について説明したが、これに限定されない。例えば、学習用渋滞データ格納部１１４が予め渋滞データを格納しており、学習用渋滞データ取得部１１３が学習用渋滞データ格納部１１４から学習用渋滞データを取得して渋滞予測モデル構築部１１５に当該データを渡す構成であってもよい。
【００８２】
上述した実施形態では、学習用人口データ取得部１１１は、各日で正午にサンプリングされた人口データを取得するが、数日置きの人口データを取得してもよいし、各日で複数の時刻にサンプリングされた人口データを取得してもよい。学習用人口データ取得部１１１が各日で複数の時刻にサンプリングされた人口データを取得する場合、人口データが分類され得るグループの数は更に増加する。この場合であっても、渋滞予測モデル作成装置１００は、渋滞に関連のあるグループの人口データを選択するため、渋滞予測モデルの構築に要する演算量の増加が抑制され得る。
【００８３】
予測用人口データ取得部１２１によって取得される人口データのサンプリング時刻は、学習用人口データ取得部１１１によって取得された人口データのサンプリング時刻に対応していればよい。したがって、予測用人口データ取得部１２１によって取得される人口データは、正午にサンプリングされた人口データに限定されない。
【００８４】
上述した、渋滞予測モデル構築部１１５は、予測日の交通渋滞を予測するものであるとしたが、それ以外の予め定めた所定時間幅内における交通渋滞を予測する渋滞予測モデルを構築するように構成されてもよい。この場合、変数選択部１１６、次元圧縮部１１７、予測用回帰式作成部１１８では、当該所定時間幅に応じた渋滞データを学習用渋滞データとして用いる。
【００８５】
上述した実施形態では、渋滞予測モデル構築部１１５は、次元圧縮部１１７によって次元圧縮を行った。しかし、渋滞予測モデル構築部１１５が次元圧縮部１１７を有していなくともよく、次元圧縮は行われなくてもよい。
【００８６】
上述した実施形態では、変数選択部１１６は、学習用人口データをグループごとに正規化した後に、変数選択を行った。しかし、学習用人口データの正規化は、行われなくてもよい。
【００８７】
渋滞予測モデル作成装置１００は、渋滞予測位置を取得する度に、取得された渋滞予測位置に対応する渋滞予測モデルを構築してもよい。これによって、毎回、最新の学習用人口データを用いて、渋滞予測モデルを構築することができる。
【００８８】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００８９】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００９０】
入出力された情報等は特定の場所(例えば、メモリ)に保存されてもよいし、管理テーブルで管理してもよい。入出力される情報等は、上書き、更新、または追記され得る。出力された情報等は削除されてもよい。入力された情報等は他の装置へ送信されてもよい。
【００９１】
判定は、１ビットで表される値（０か１か）によって行われてもよいし、真偽値（Boolean：trueまたはfalse）によって行われてもよいし、数値の比較（例えば、所定の値との比較）によって行われてもよい。
【００９２】
本明細書で説明したデータは、様々な異なる技術のいずれかを使用して表されてもよい。例えば、上記の説明全体に渡って言及され得るデータは、電圧、電流、電磁波、磁界若しくは磁性粒子、光場若しくは光子、又はこれらの任意の組み合わせによって表されてもよい。
【００９３】
また、本明細書で説明したデータ、パラメータなどは、絶対値で表されてもよいし、所定の値からの相対値で表されてもよいし、対応する別の情報で表されてもよい。例えば、無線リソースはインデックスで指示されるものであってもよい。上述したパラメータに使用する名称はいかなる点においても限定的なものではない。
【００９４】
本明細書で使用する「判断(determining)」、「決定(determining)」という用語は、多種多様な動作を包含する場合がある。「判断」、「決定」は、例えば、判定（judging）、計算(calculating)、算出(computing)、処理(processing)、導出(deriving)、調査(investigating)、探索(looking up)（例えば、テーブル、データベースまたは別のデータ構造での探索）、確認(ascertaining)した事を「判断」「決定」したとみなす事などを含み得る。また、「判断」、「決定」は、受信(receiving)（例えば、情報を受信すること）、送信(transmitting)(例えば、情報を送信すること)、入力(input)、出力(output)、アクセス(accessing)（例えば、メモリ中のデータにアクセスすること）した事を「判断」「決定」したとみなす事などを含み得る。また、「判断」、「決定」は、解決(resolving)、選択(selecting)、選定(choosing)、確立(establishing)、比較(comparing)などした事を「判断」「決定」したとみなす事を含み得る。つまり、「判断」「決定」は、何らかの動作を「判断」「決定」したとみなす事を含み得る。
【００９５】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００９６】
「含む(include)」、「含んでいる（including）」、およびそれらの変形が、本明細書あるいは特許請求の範囲で使用されている限り、これら用語は、用語「備える」と同様に、包括的であることが意図される。さらに、本明細書あるいは特許請求の範囲において使用されている用語「または（or）」は、排他的論理和ではないことが意図される。
【００９７】
本開示の全体において、文脈から明らかに単数を示したものではなければ、複数のものを含むものとする。
【符号の説明】
【００９８】
１００…渋滞予測モデル作成装置、１１１…学習用人口データ取得部、１１３…学習用渋滞データ取得部、１１５…渋滞予測モデル構築部、１２１…予測用人口データ取得部、１２２…交通渋滞予測部。
【図１】
2019066930.tif 000003
【図２】
2019066930.tif 000004
【図３】
2019066930.tif 000005
【図４】
2019066930.tif 000006
【図５】
2019066930.tif 000007
【図６】
2019066930.tif 000008
【図７】
2019066930.tif 000009
【図８】
2019066930.tif 000010